(57)【要約】高次モード実効屈折率よりも高い屈折率を有するカップリングコーティング（１２６）によって包囲されたクラッド層（１２４）によって包囲されたコア（１２２）を有する高次モード除去ファイバであって、クラッド及びカップリングコーティングの間のクラッド−コーティング界面は、５５ミクロンよりも小さい半径位置にある。ファイバの測定されたカットオフ波長は、好ましくは１５００ｎｍよりも長波長である。この種のファイバは、不必要な高次モードを減じる効果が特にあって、分散補償モジュール（ＤＣＭ）に有用である。高次モード除去ファイバを利用したモジュール及びシステムも併せて開示される。
2005516255.tif 000002
【特許請求の範囲】
【請求項１】
コアと、クラッド層と、クラッド−コーティング界面で当接するカップリングコーティングと、を有する光ファイバであって、
前記カップリングコーティングは前記クラッド層よりも高い屈折率を有し、クラッド−コーティング界面は前記光ファイバの中央線から５５ミクロン未満の半径位置にあって高次モード減衰は基本モード減衰と比べて強化され、光ファイバの測定されたカットオフ波長（λc）は１５００ｎｍよりも大であることを特徴とする光ファイバ。
【請求項２】
前記クラッド−コーティング界面は前記光ファイバの前記中央線から５０ミクロン未満の位置にあることを特徴とする請求項１記載の光ファイバ。
【請求項３】
前記クラッド−コーティング界面は前記光ファイバの前記中央線から４５ミクロン未満の位置にあることを特徴とする請求項１記載の光ファイバ。
【請求項４】
前記クラッド−コーティング界面は前記光ファイバの前記中央線から４０ミクロンより大であって５０ミクロンよりも小なる位置にあることを特徴とする請求項１記載の光ファイバ。
【請求項５】
前記コアは、正のデルタ（Δ1）を有する中央コアセグメントと、負のデルタ（Δ2）を有する前記中央コアセグメントを包囲するモートセグメントとを有する屈折率分布を有することを特徴とする請求項１記載の光ファイバ。
【請求項６】
前記コアが正のデルタ（Δ3）を有する前記モートセグメントを包囲するリングセグメントを更に含むことを特徴とする請求項５記載の光ファイバ。
【請求項７】
前記ファイバの外側半径は１００ミクロン以下であることを特徴とする請求項１記載の光ファイバ。
【請求項８】
前記ファイバの前記外側半径は９０ミクロン以下であることを特徴とする請求項７記載の光ファイバ。
【請求項９】
２５４ｍｍ未満の巻き取り径を有するスプール上に巻き取られたときに高次モードのファイバ伝播損失が１０ｄＢ／ｋｍよりも大であることを特徴とする請求項１記載の光ファイバ。
【請求項１０】
２５４ｍｍ未満の巻き取り径を有するスプール上に巻き取られたときにＬＰ01モードの前記ファイバの基本モード損失が０．５ｄＢ／ｋｍ未満であることを特徴とする請求項１記載の光ファイバ。
【請求項１１】
巻き取りスプールと、
前記巻き取りスプール上へ巻き取られた分散補償ファイバと、
前記分散補償ファイバは、コアと、
前記コアを包囲するクラッド層と、
前記クラッド層よりも高い屈折率を有するカップリングコーティングと、
前記クラッド層及び前記カップリングコーティング間の界面に位置するクラッド−コーティング界面と、を含み、
前記クラッド−コーティング界面は前記分散補償ファイバの中央線から３５から５０ミクロンの間の半径に位置することを特徴とする請求項１記載の分散補償モジュール。
【請求項１２】
送信機と、受信機に光学的に接続された１０ｋｍよりも大なる一定長の光伝送ファイバと、前記伝送ファイバに光学的に接続された分散補償ファイバと、を含む光伝送システムであって、
前記分散補償ファイバは、コアと、クラッド層と、クラッド−コーティング界面で前記クラッド層に当接するカップリングコーティングと、を含み、前記カップリングコーティングは前記クラッド層よりも高い屈折率を有し、
前記クラッド−コーティング界面は前記光ファイバの中央線から５５ミクロン未満の半径位置にあって高次モード減衰が基本モード減衰と比べて強化され、受信機が光学的に前記分散補償ファイバに接続されることを特徴とする光伝送システム。
【発明の詳細な説明】
【技術分野】
【０００１】
本願は、２００１年１月３１日出願の米国特許出願第１０／０６１，５４９号の利益及び優先権を主張する。
【０００２】
本発明は、光通信システムでの使用に適した光導波ファイバに関し、より詳細には単一モード動作での使用に特に適した光ファイバに関する。
【背景技術】
【０００３】
非ゼロ分散シフトファイバ（ＮＺＤＳＦ）では分散管理が非常に重要である。特に、全ての伝送バンド全体に亘って伝送システムに小なる残余分散を有することを要求される。ＮＺＤＳＦの分散は波長の関数として変化する故に分散補償が要求される。非常に短い分散補償（ＤＣ）ファイバによってＮＺＤＳＦファイバの分散スロープを補償するためには、大なる負のスロープを有するＤＣファイバが要求される。しかしながら、高いスロープのＤＣファイバを設計する際にいくつかの課題に遭遇する。これらは、マルチパス干渉（ＭＰＩ）、挿入損失（ＩＬ）、波長の関数としての分散線形性である。シングルモード化されたファイバによる解決はＭＰＩの制御においては最も好ましい。しかしながら、典型的なシングルモードファイバ設計でのＩＬは、それらを一般的に魅力のないものにする。分散線形性もシングルモードファイバ設計において達成することが困難である。以上のように、少数モード化設計はＩＬ及び分散線形性の要件を満たす所望される解決案であった。しかしながら、これらのファイバは、一般的に容認できないＭＰＩを有する。従って、例えばＬＰ02及びＬＰ11のような高次モードをフィルタリングするとともに、測定可能な減衰のない基本モードＬＰ01において伝播する光ファイバを得ることが望ましい。この種のファイバは、単一モード化動作を呈する。
【発明の開示】
【０００４】
本発明の実施例によれば、光ファイバは、コア、クラッド及びカップリングコーティングを有して提供される。クラッド−コーティング界面は、ファイバの中央線から５５ミクロン未満の半径（Ｒi）に位置し、より好ましくは５０ミクロン未満、最も好ましくは４５ミクロン未満に位置する。この実施例では、好適にも、光ファイバを十分に曲げても、高次モード（ＨＯＭ）（例えば、ＬＰ11、ＬＰ02光伝搬モード）を効率的にフィルタリングできるのである。例えば、動作中において、ファイバの充分な長さが分散補償（ＤＣ）モジュールの非常に小さい直径のスプールの上に巻かれてもＨＯＭがフィルタリングされる。特に、クラッド厚さは、６２．５ミクロンの通常の厚さから、５５ミクロン未満にまで減少する。好適なことに、ファイバのコーティングの外径をより小さくすることができるのである。これにより、ファイバの全体の外径を小さくすることができて、製造のためのクラッドガラス及びコーティングの材料の量をより少なくできる。加えて、光ファイバのより長い長さを標準規格のスプールに巻き取ることが出来て、このようなファイバの同じ長さをより小さい体積で実装できるのである。これは、特にＤＣモジュールの全体的な寸法を減じることに役立つ。例えば、ファイバに使用されるガラス量は、２０％から７５％まで減少し得る。更に、使用されるコーティングの量は、３０％も減少し得る。故に、本発明は、例えば、より少ないコストで且つ非常に小さいパッケージにＤＣモジュールを製造することを可能とする。
【０００５】
本発明による好ましい光ファイバは、コアと、クラッド層と、クラッド−コーティング界面でクラッド層に当接するカップリングコーティングとを有する。カップリングコーティングは、クラッド層よりも高い屈折率を有する。クラッド−コーティング界面は、光ファイバの中央線から５５ミクロン未満の半径位置にあって、高次モード減衰が基本モード減衰と比べて高められて光ファイバの測定されたカットオフ波長（λc）が１５００ｎｍよりも大となる。
【０００６】
本発明の他の実施例によれば、クラッド−コーティング界面は、光ファイバの中央線から５０ミクロン未満の位置に配置されて、より好ましくは、光ファイバの中央線から４５ミクロン未満の位置に配置される。好ましい範囲によると、クラッド−コーティング界面は、光ファイバの中央線から３０ミクロンよりも大きく且つ５０ミクロンよりも小さい位置に配置され、より好ましくは中央線から３５ミクロンよりも大きく且つ５０ミクロンよりも小さい位置、最も好ましくは、中央線から４０ミクロンよりも大きく且つ５０ミクロンよりも小さい位置に配置される。
【０００７】
１つの好適な実施例において、ファイバは分散補償（ＤＣ）ファイバであって、コアは正のデルタ（Δ1）を有する中央コアセグメントと及び負のデルタ（Δ2）を有する中央コアセグメントを包囲するモートセグメントとを有する屈折率分布を有する。ＤＣファイバは好ましくは正のデルタ（Δ3）を有するモートセグメントを包囲するリングセグメントも含む。
【０００８】
本発明の他の実施例によれば、分散補償モジュールが提供される。この分散補償モジュールは、巻き取りスプール及び当該スプール上に巻かれた分散補償ファイバを含む。この分散補償ファイバは、コア、クラッド層、クラッド層よりも高い屈折率を有するカップリングコーティング、及び、クラッド層及びカップリングコーティングの間の界面位置にあるクラッド−コーティング界面を含む。クラッド−コーティング界面は、分散補償ファイバの中央線から３５ミクロンから５０ミクロンの範囲内にある半径位置にある。分散補償ファイバは、１５００ｎｍを超えるカットオフ波長（λc）を呈する。
【０００９】
光伝送システムが本発明の他の実施例に従って提供される。当該システムは、送信機と、受信機に光学的に連結された１０ｋｍよりも大なる長さを有する一定長さの光伝送ファイバと、伝送ファイバに光学的に連結された分散補償ファイバと、分散補償ファイバに光学的に連結した受信機と、を含む。分散補償ファイバは、コア、クラッド層、クラッド−コーティング界面でクラッド層に当接しクラッド層よりも高い屈折率を有するカップリングコーティングを含む。クラッド−コーティング界面は、光ファイバの中央線から５５ミクロン未満の半径位置にある。これにより高次モード減衰が基本モード減衰と比べて高められる。
【００１０】
本発明の更なる特徴及び効果は以下の発明の詳細な説明の欄に記載される。部分的には、その記載から当業者であれば直ちに明らかになるであろうが、添付図面と共に以下の発明の詳細な説明の記載及び特許請求の範囲を含む本明細書に記載された本発明を実行することによっても認識されるであろう。
【００１１】
前述の概要及び以下の発明の詳細な説明の記載は単に本発明の典型例にすぎず、特許請求の範囲に請求された本発明の性質及び特徴を理解するための概要またはフレームワークを提供することを目的とすると理解すべきである。添付の図面は、本発明の更なる理解を提供するために含まれており、本明細書中に取り入れられて本明細書の一部を構成する。図面は、本発明のさまざまな実施例を示し、本明細書の記載と共に本発明の原理及び動作を説明を与える。
【発明を実施するための形態】
【００１２】
添付図面において図示された実施例によって、本発明の現在の好適な実施例を詳細に説明する。可能な限り、同じ参照番号が同じ若しくは類似の部分を参照するために図面の全体に亘って使用される。
【００１３】
本発明による典型的な光ファイバ２０の断面端部が図１に示される。光ファイバ２０は、コア２２、クラッド２４及びカップリングコーティング２６を含む。本発明によるクラッド−コーティング界面２３は、選択的にファイバの中央線（ＣＬ）から測定された半径Ｒiに位置する。Ｒiは、中央線から５５ミクロン未満の位置にあって、より好ましくは５０ミクロン未満であって、最も好ましくは４５ミクロン未満の位置にある。好ましくは、大きさＲiは、光ファイバ２０の中央線から、３０ミクロンから５０ミクロンの間で変動することができて、より好ましくは中央線から３５ミクロンから５０ミクロンの間であって、最も好ましくは中央線から４０ミクロンから５０ミクロンの間である。ファイバ２０は、また、ウレタンアクリレートコーティングの如きカップリングコーティング２６を含む。これは、一次コーティング２７及び二次コーティング２８からなり得る。ファイバ２０の１つの好ましいセグメントコア構造が図２に示される。ファイバ２０は、好ましくは正のデルタの中央コアセグメント３０及び負のデルタのモートセグメント３２を有する物理的なコア２２を有する屈折率分布を有する分散補償ファイバである。コア２２は、また好ましくは正のデルタのリングセグメント３４を含む。
【００１４】
図２に示す本発明によるファイバ２０の典型的な実施例において、屈折率分布は、最大の正のデルタ（Δ1）を有するアップドープされた中央コアセグメント３０を有する。これは、最大の負の（最も負の）デルタ（Δ2）を有するダウンドープされたモートセグメント３２によって包囲される。更にこれは、最大の正のデルタ（Δ3）を有するアップドープされたリングセグメント３４によって包囲される。これら全ては環状クラッド層２４によって包囲されている。リングセグメント３４の内側端部は、好ましくはモートセグメント３２の端部から間隔を置いて位置する。好ましくは、セグメント３０及び３４は、ゲルマニア添加ＳｉＯ2を使用して形成されるが、他の屈折率上昇ドーパントが、同じ一般的な屈折率分布を達成し得る限り、本明細書に開示されたファイバを達成するために使用され得る。これに反して、モートセグメント３２は、好ましくは、フッ素添加されたＳｉＯ2を使用して形成されるが、他の屈折率低下ドーパントとしてフッ素の如きを使用し得る。クラッド層２４は、好ましくは、純シリカで形成される。しかしながら、カップリングコーティングの屈折率がクラッド２４の屈折率よりも高い限り、クラッド層２４は、また屈折率上昇若しくは低下ドーパントを含んでいてもよい。
【００１５】
カップリングコーティング２６が配置されて、いかなる大きなファイバ曲げであってもファイバ２０を伝播するすべての高次モードが取り除かれる（減衰する）ように機能する。特に、ＤＣモジュールでは、曲げは直径約２５４ｍｍよりも小さいスプール上にファイバを巻くことによって導入される（図７参照）。特に、カップリングコーティング２６は、好ましくはクラッド層２４の屈折率よりも大なる屈折率デルタ（Δ4）を有し且つ好ましくは正である一次コーティング２７を含む。好ましくは、カップリングコーティング２６は、例えばウレタンアクリレートの如き吸光性ポリマー材料である。クラッド２４に隣接する一次コーティング２７の好ましい性質は、１．０％よりも大なる屈折率Δ％を有し、より好ましくは、１５５０ｎｍで２．０％よりも大である。理論的には、カップリングコーティングの屈折率Δ％は、取り除かれるＨＯＭの実効屈折率よりも高いことだけが必要とされる。ＡＳＴＭ８８２−９７を使用した室温試験では、一次コーティング２７は好ましくは５ＭＰａ未満の弾性係数を有する。ＡＳＴＭ８８２−９７を使用した室温試験では、二次コーティング２８は典型的には一次コーティング２７を覆って与えられ、約６５０Ｍｐａを超えるより高い弾性係数を有する。二次コーティング２８の屈折率Δ％は、典型的には１５５０ｎｍで約３％よりも大きく、より好ましくは約５％よりも大である。カップリングコーティング２６は、典型的には一次コーティングだけからなり得る。しかしながら、ファイバ分布のパワー場、クラッドの厚さ及び一次コーティングの厚さに依存して、組合せられたカップリングコーティングが任意に、一次及び二次コーティングからなり得る。好ましきカップリングコーティング２６はポリマー材料であるが、他の適当なコーティングも同様に使用することができる。例えば、コーティングは金属コーティング（例えばチタン又はタンタル）や、炭素コーティングであってもよい。コーティング厚さは、約５ミクロンから２０ミクロンの厚さである。
【００１６】
本発明による分散補償光ファイバ１２０の好適な実施例が図３に示される。ファイバのこの実施例において、Δ1は、１．０％から３．０％の間で変化して、約１から３ミクロンの外側半径Ｒ1（Ｒ1は、図１と同様にコアセグメント１３０がｘ軸１２５を横切る点まで引いた長さ）を含む。コアセグメント１３０は、アルファが約２．０のアルファ分布を有する。Δ2は、好ましくは約−０．３％未満であって、より好ましくは−０．４％未満であって、最も好ましくは−０．５％未満であり、且つ約３．５から８ミクロンの間で変化する外側半径Ｒ2（ｘ軸１２５とモートセグメント１３２の最外部分が交差する位置で計測される）を有する。Δ3は、約０．２％から１．２％までの間にあって、約５から１２ミクロンの中心半径Ｒ３（中央線（ＣＬ）からリングセグメント１３４の中心まで引いた長さ）を有する。本明細書において使用されるように、Ｒiは、光ファイバ１２０の中央線（ＣＬ）から、カップリングコーティング１２６とガラスクラッド層１２４の最外部との間の界面、すなわちクラッド−コーティング界面１２３まで計測した距離を意味する。
【００１７】
より好ましくは、セグメント１２のΔ1は、１．６％から２．４％の間にあって、約１から３ミクロンまでの間の外側半径Ｒ1からなる。セグメント１４のΔ2は約−０．４から−１．０パーセントであって、約４から７ミクロンの間の外側半径Ｒ2を有する。リングセグメント１３４は、好ましくは約０．２％から１．０％までの間のΔ3と、約５から１２ミクロンの間の中心半径Ｒ3とを有する。分散補償光ファイバは、１５５０ｎｍで−２０ｐｓ／ｎｍ−ｋｍ未満の全分散を有する。図２に示されたファイバ２０と類似するように、図３のファイバも、好ましくは一次コーティング１２７及び二次コーティング１２８を含む。
【００１８】
図４は、図３に示される屈折率分布を有する光ファイバの外側クラッド半径対基本モード損失のプロット図である。また、外側クラッド半径に対する高次（Ｈ．Ｏ．）モード損失がプロットされる。このプロットから直ちに分かるように、クラッド−コーティング界面１２３は、プロット上で右方向に大きく遠ざかった位置にあるとき（ファイバにおける放射状に外側方向へ遠ざかった位置にあるとき）、高次モード、特にＬＰ02モードの減衰（損失）は十分に高くなく、故に、ＬＰ02モードは除去されずにファイバの本質的な長さだけ伝播し得る。よって信号が受信機に到達すると（図６参照）、望ましからざる高い複数のパス干渉（ＭＰＩ）に結果としてなってしまう。故に、一般的に、ＭＰＩが１５５０ｍｎで４０デシベル未満となるように界面を配置することを要求される。
【００１９】
クラッド−コーティング界面１２３を放射方向内側に６２．５ミクロンの半径の基準位置から移動させることは、高次モード（ＨＯＭ）のｄＢ／ｋｍ損失を増加させ、これによりＬＰ11及びＬＰ02  ＨＯＭの除去（減衰）をより容易にすることが見出された。界面１２３の最適な位置は、光ファイバの強度フィールドスペクトルに依存する。界面１２３の位置の目標は、１５５０ｎｍで基本ＬＰ01モード伝搬に大きな影響を及ぼさないと同時に、適切にＨＯＭを除去することである。２５４ｍｍ未満の直径のスプール上に図３において教示されるタイプのＤＣファイバを巻き付けた典型的なＤＣモジュールのＨＯＭを減じるのに十分であるためには、ＨＯＭの損失は、数ｋｍよりも短い長さの範囲内で（但し、スプール上のＤＣファイバの長さ未満の長さの場合において）ＨＯＭを減じるのに十分でなければならない。一般的に、１５５０ｎｍでのＨＯＭ損失（ＬＰ11又はＬＰ02モード、若しくは双方）は約１０ｄＢ／ｋｍよりも大きくなるように界面１２３が配置されなければならない。特に、ＨＯＭはあるＨＯＭの減衰が実質的に他のＨＯＭをも減じるように接続され得る。好ましくは、また、クラッドコーティング界面が放射状に外側方向へ十分に遠く離れた位置に配置されなければならない。つまり、基本モード（ＬＰ01）の減衰がＨＯＭの減衰と比較して非常に小さいからである。基本モードの減衰は、１５５０ｍｎで好ましくは０．５ｄＢ／ｋｍで未満あり、より好ましくは０．１ｄＢ／ｋｍ未満である。本発明者は、放射方向内側に大きく界面を移動させることでマイクロ曲げ感受性を悪化させ得ることを見出した。図４のプロットにおいて、直線１３６は１５５０ｎｍで外側クラッド半径の関数としてのファイバ１２０の基本モード（ＬＰ01）損失を表す。プロット１３７及び１３８は、１５５０ｎｍでの外側クラッド半径の関数としてそれぞれＬＰ11及びＬＰ02モードのＨＯＭ損失を表す。プロット上の直線１２３は、上記した基準が満たされるある界面の位置を図示する。
【００２０】
図５は、グラフィカルにＨＯＭ除去ファイバの動作方法を図示する。実際には、クラッド−コーティング界面２２３は、基本（ＬＰ01）モード減衰がわずかに影響を受ける放射状の位置（Ｒi）にある（上記参照）。ＬＰ01プロット２６０において、界面２２３の外側で基本モード強度が最小となる。対照的に、ＬＰ11及びＬＰ02モード（それぞれ２６２及び２６４の参照符を付されている）の強度分野のテール２６２ａ及び２６４ａはカップリングコーティング２２６内まで達する。故に、ＨＯＭ光信号のこの部分は高屈折率コーティング２２６に入射して、光信号がそのモードで大きく減じられる。ファイバ屈折率分布２２０をこのプロット上に重ね書きすると、屈折率分布のさまざまな特徴の位置（コア、モート、リング等）に対して近似の強度関係を示す。認識されなければならないように、界面２２３が放射状内側方向に十分に離れて配置されるとカップリングコーティング２２６内でのＨＯＭのうちの少なくとも１つの強度が十分に高くなり（上記した実施例参照）そのモードを実質的に減衰し、一方、放射状外側方向に十分に遠ざかる位置にあると基本モード減衰がわずかに影響を受ける（上記参照）のである。モードのクラッド及びコーティングの実際の強度は明快さ及び作図上の目的で大きく誇張されていると認識されなければならない。
【００２１】
図６は、本発明の他の実施例によるＤＣファイバを含む光通信システムを示す。システム４０は、スプライス（×として示されている。）によって光学的に接続された一定長の伝送ファイバ４２に光信号（ｓ）を発する送信機（Ｔ）４１、又は他の適切なカップリング装置を有する。ＤＣモジュール４４もシステム４０に含まれる（図７の分解図も参照のこと）。モジュール４４は、例えば図２及び３に記載された本発明による分散補償ファイバ２０又は１２０をその内部に収容する。ＤＣファイバは、光学的に伝送ファイバ４２及び受信機（Ｒ）４６に接続される。上記したファイバの実施例において、モジュール４４に含まれる分散補償ファイバ２０、１２０は、コア、シリカ含有クラッド層及びクラッド−コーティング界面でクラッド層に当接しているポリマーカップリングコーティングを含む。上記した如く、ポリマーカップリングコーティングは、クラッド層よりも高い屈折率を有し、クラッド−コーティング界面は、光ファイバの中央線から５５ミクロン未満の半径位置に選択的に配置される。このように、このシステムにおいて、モジュール４４のＤＣファイバのＨＯＭ減衰は、基本モード減衰と比べて強化される。システム４０は、一方向性信号による送信機４１及び受信機４６に関して記載されるが、システム４０が同様に双方向に信号を伝送し得ると認識されなければならない。システム４０は、例えばプリアンプ４８やパワーアンプ５０の如き増幅器も含むことができる。他の通常のシステム部品も含まれ得る。
【００２２】
システムの分散補償光ファイバ２０、１２０は、好ましくは１５００ｎｍよりも大なる測定されたカットオフ波長（λc）を有する。例えば、全てのカットオフ測定は、ＦＯＴＰ８０法の如きフォトン動態ベンチテストでファイバの２メートル長で実行された。先に述べた実施例の如く、モジュール４４のＤＣファイバのクラッド−コーティング界面は、光ファイバの中央線から３０ミクロンよりも大且つ５０ミクロン未満の半径位置に配置される。
【００２３】
より好ましくは、クラッド−コーティング界面は、光ファイバの中央線から５０ミクロン未満の半径位置に配置され、最も好ましくは光ファイバの中央線から４５ミクロン未満の半径位置に配置される。好ましくはモジュール４４内に収納されるＤＣファイバは、１００ミクロン未満の最外半径（外径１２７）を有し、これは、より好ましくは９０ミクロン未満である。もちろん、ＤＣファイバは、点線１２９で図示されるように、１２５ミクロンの半径まで延在するコーティングを有することで２５０ミクロンの通常の外径を有することもできる。
【００２４】
図７は、本発明の実施例によるＤＣモジュール４４の好ましき構造を図示する。ＤＣモジュール４４は、好ましくは２５４ｍｍ未満の直径の円筒中心５２ａと、端部フランジ５２ｂ及び５２ｃとを有するスプール５２を含む。ＤＣファイバ２０は、中心５２ａの周囲に巻きつけられて、フランジ５２ｂ及び５２ｃの内面に当接している。典型的には、１ｋｍから約５ｋｍのＤＣファイバ２０がスプール５２上に巻かれて、システム４０（図６）の約１００ｋｍの伝送ファイバ４２（例えばＮＺＤＳＦ）を補償するために使用される。スプール５２がパッケージ化されて、中心５４及び頂部プレート５６ａ及び底部プレート５６ｂを含むハウジングアセンブリ内に収納される。スプール５２は、フランジ５２ｂ及び５２ｃの外表面に環状に外周に沿ってわずかに凹んで形成された凹部を含む。これらの凹部がプレート５６ａ及び５６ｂの穴６５ａ及び６５ｂに嵌合せしめられて、スプールが中心に配置されて位置する。穴６７を通してタブ６８が嵌入されて留め金具（図示せず）によってプレート５６ａ及び５６ｂが中央部材５４に固着される。好ましくはＳＭファイバのピグテールケーブル７０ａ及び７０ｂがＤＣファイバ２０のいずれかの端部に固着されて、コネクタ７２ａ及び７２ｂによってシステム部品に取り付けられることを容易にする。
【００２５】
さまざまなモディフィケーション及びバリエーションが本発明の観点から逸脱することなく本発明に対して作られ得ることは、当業者にとって明らかである。故に、本発明は、添付の特許請求の範囲の記載による範囲及びその均等物によって与えられる本発明のモディフィケーション及びバリエーションをカバーすることを意図している。
【図面の簡単な説明】
【００２６】
【図１】本発明による光ファイバの断面図である。
【図２】本発明による光ファイバの実施例の屈折率分布を示す図である。
【図３】本発明による光ファイバの他の実施例の屈折率分布を示す図である。
【図４】本発明による光ファイバの実施例の基本モード及び高次モードの損失（ｄＢ／ｋｍ）のクラッド半径（ミクロン）に対するプロットの図である。ここで基本モード損失は左側の軸で示され、ＨＯＭ損失は右側の軸で示される。
【図５】本発明による光ファイバの実施例の半径（ミクロン）に対する（基本波及び高次モードの）パワー及びΔ％を示すヒューリスティックプロットである。ここで、クラッド及びコーティングの高次モードパワーは、明快さのために誇張されて図示されている。
【図６】本発明による光ファイバの実施例を含む光通信システムの図である。
【図７】本発明による光ファイバの実施例を含む分散補償モジュールを示す分解図である。
【図１】
2005516255.tif 000003
【図２】
2005516255.tif 000004
【図３】
2005516255.tif 000005
【図４】
2005516255.tif 000006
【図５】
2005516255.tif 000007
【図６】
2005516255.tif 000008
【図７】
2005516255.tif 000009
【国際調査報告】
2005516255.tif 000010
2005516255.tif 000011
2005516255.tif 000012